(57)【要約】【課題】携帯電子機器の筐体の内部において、操作部と操作検出部が実装された基板との相対的な位置関係に制約が生じることを低減する。【解決手段】携帯電話機１は、押圧操作により通常位置と押圧位置との間を移動可能に構成される入力操作キー部材１４ｂと、キー基板５０に実装され、押圧された場合に入力操作キー部材１４ｂに対する押圧操作がなされたと判定するキースイッチ５２と、入力操作キー部材１４ｂとキースイッチ５２との間に配置され、入力操作キー部材１４ｂの通常位置から押圧位置への移動に伴いキースイッチ５２を押圧するアクチュエータ４５と、を備え、キースイッチ５２は、入力操作キー部材１４ｂが前記第１位置から前記第２位置へ向かう方向において入力操作キー部材１４ｂと対向しない位置に実装され、アクチュエータ４５は、入力操作キー部材１４ｂに対向する領域からキースイッチ５２に対向する領域にわたって配置される。【選択図】図３
2011166644.tif 000002
【特許請求の範囲】
【請求項１】
開口部が形成された筐体と、
前記筐体の内部に配設され、前記筐体の外部側の面が前記開口部を介して前記筐体の外部に露出する第１位置と前記筐体の外部側の面に対する押圧操作により前記第１位置に比して前記筐体の内部側である第２位置との間を移動可能に構成される操作部と、
前記操作部の前記筐体の内部側に配置される基板と、
前記基板に実装され、所定の動作がなされた場合に前記操作部に対する押圧操作がなされたと判定する操作検出部と、
前記操作部と前記操作検出部との間に配置され、前記操作部の前記第１位置から前記第２位置への移動に伴い前記操作検出部に対して前記所定の動作を行う中間部材と、を備え、
前記操作検出部は、前記操作部が前記第１位置から前記第２位置へ向かう方向において前記操作部と対向しない位置に実装され、
前記中間部材は、前記操作部に対向する領域から前記操作検出部に対向する領域にわたって配置される携帯電子機器。
【請求項２】
前記基板は、前記操作部と対向する位置に配置され、
前記操作検出部は、前記基板において前記操作部側の面に実装される
請求項１に記載の携帯電子機器。
【請求項３】
筐体の内部において、前記操作部と対向する位置に配置されるアンテナ部をさらに有し、
前記操作検出部は、導電性を有する部材で構成されている
請求項１または請求項２に記載の携帯電子機器。
【請求項４】
前記アンテナ部は、前記操作検出部と対向しない位置に配置される
請求項３に記載の携帯電子機器。
【請求項５】
前記操作部または前記基板に設けられ、前記操作部に対する押圧操作が行われた場合にクリック感を提供するクリック機構をさらに備える
請求項１乃至請求項４のいずれか一項に記載の携帯電子機器。
【発明の詳細な説明】
【技術分野】
【０００１】
本発明は、携帯電話機等の携帯電子機器に関する。
【背景技術】
【０００２】
開口部が形成された筐体と、筐体の内部に配設され、筐体の外部側の面が開口部を介して筐体の外部に露出する第１位置と筐体の外部側の面に対する押圧操作により第１位置に比して筐体の内部側である第２位置との間を移動可能に構成される操作部と、操作部の筐体の内部側に配置される基板と、基板の操作部側の面に実装され、所定の動作がなされた場合に操作部に対する押圧操作がなされたと判定する操作検出部と、操作部と操作検出部との間に配置され、操作部の第１位置から第２位置への移動に伴い操作検出部に対して所定の動作を行う中間部材とを備え、操作検出部は、基板上で操作部が第１位置から第２位置へ向かう方向において操作部と対向する位置に実装される携帯電子機器が知られている（例えば、特許文献１を参照）。
【先行技術文献】
【特許文献】
【０００３】
【特許文献１】特開２００７−７３３０１号公報
【発明の概要】
【発明が解決しようとする課題】
【０００４】
しかし、特許文献１に開示される携帯電話機においては、操作部における筐体の外部側の面が開口部を介して筐体の外部に露出するとともに、操作検出部が基板上で操作部と対向する位置に実装されるため、筐体内部において操作部と基板との相対的な位置関係に制約が生じ、携帯電話機を設計する上での自由度が制限される場合があった。
【０００５】
本発明は、携帯電子機器の筐体内部において操作部と操作検出部が実装された基板との相対的な位置関係に制約が生じることを低減することを目的とする。
【課題を解決するための手段】
【０００６】
上記課題を解決するために、本発明に係る携帯電子機器は、開口部が形成された筐体と、前記筐体の内部に配設され、前記筐体の外部側の面が前記開口部を介して前記筐体の外部に露出する第１位置と前記筐体の外部側の面に対する押圧操作により前記第１位置に比して前記筐体の内部側である第２位置との間を移動可能に構成される操作部と、前記操作部の前記筐体の内部側に配置される基板と、前記基板に実装され、所定の動作がなされた場合に前記操作部に対する押圧操作がなされたと判定する操作検出部と、前記操作部と前記操作検出部との間に配置され、前記操作部の前記第１位置から前記第２位置への移動に伴い前記操作検出部に対して前記所定の動作を行う中間部材と、を備え、前記操作検出部は、前記操作部が前記第１位置から前記第２位置へ向かう方向において前記操作部と対向しない位置に実装され、前記中間部材は、前記操作部に対向する領域から前記操作検出部に対向する領域にわたって配置される。
【０００７】
また、前記基板は、前記操作部と対向する位置に配置され、前記操作検出部は、前記基板において前記操作部側の面に実装されてもよい。
【０００８】
また、筐体の内部において、前記操作部と対向する位置に配置されるアンテナ部をさらに有し、前記操作検出部は、導電性を有する部材で構成されていてもよい。
【０００９】
また、前記アンテナ部は、前記操作検出部と対向しない位置に配置されていてもよい。
【００１０】
また、前記操作部または前記基板に設けられ、前記操作部に対する押圧操作が行われた場合にクリック感を提供するクリック機構をさらに備えていてもよい。
【発明の効果】
【００１１】
本発明によれば、携帯電子機器の筐体内部において操作部と操作検出部が実装された基板との相対的な位置関係に制約が生じることを低減できる。
【図面の簡単な説明】
【００１２】
【図１】携帯電話機１を操作部側筐体２と表示部側筐体３とを開いた状態で示す斜視図である。
【図２】携帯電話機１の操作部側筐体２の分解斜視図である。
【図３】（ａ）図１において、入力操作キー部材１４ｂが通常位置にある場合のIII−III断面図である。（ｂ）図１において、入力操作キー部材１４ｂが押圧位置にある場合のIII−III断面図である。
【図４】アクチュエータ４５を操作部側筐体２の操作部材４０Ａ方向側から視た図である。
【図５】本発明の他の実施形態を示す図である。
【発明を実施するための形態】
【００１３】
以下、本発明に係る携帯電子機器の実施形態について、図面を参照しながら説明する。まず、本発明に係る携帯電子機器の第１実施形態としての携帯電話機１の基本構造について、図１を参照しながら説明する。図１は、携帯電話機１を操作部側筐体２と表示部側筐体３とを開いた状態で示す斜視図である。
【００１４】
図１に示すように、携帯電話機１は、筐体としての操作部側筐体２と、表示部側筐体３と、を備える。操作部側筐体２と表示部側筐体３とは、ヒンジ機構を備える連結部４を介して開閉可能に連結される。具体的には、操作部側筐体２の上端部と表示部側筐体３の下端部とは、連結部４を介して連結される。これにより、携帯電話機１は、ヒンジ機構を介して連結された操作部側筐体２と表示部側筐体３とを相対的に動かすことが可能に構成される。つまり、携帯電話機１は、操作部側筐体２と表示部側筐体３とが開いた状態（開状態）と、操作部側筐体２と表示部側筐体３とが折り畳まれた状態（閉状態）とにすることができる。ここで、閉状態とは、両筐体が互いに重なるように配置された状態であり、開状態とは、両筐体が互いに重ならないように配置された状態をいう。
【００１５】
操作部側筐体２は、外面がフロントケース２１とリアケース２２とにより構成される。操作部側筐体２は、フロントケース２１側に、操作キー群１１と、携帯電話機１の使用者が通話時に発した音声が入力される音声入力部１２とがそれぞれ露出するように構成される。
【００１６】
操作キー群１１は、各種設定や電話帳機能やメール機能等の各種機能を作動させるための機能設定操作キー１３と、電話番号の数字やメール等の文字等を入力するための入力操作キー１４と、各種操作における決定や上下左右方向のスクロール等を行う決定操作キー１５とにより構成される。
【００１７】
操作キー群１１を構成する各キーそれぞれには、操作部側筐体２と表示部側筐体３との開閉状態や各種モード、或いは起動されているアプリケーション等の種類に応じて所定の機能が割り当てられる。そして、使用者が各キーを押圧することにより、各キーに割り当てられている機能に応じた動作が実行される。
【００１８】
音声入力部１２は、操作部側筐体２の長手方向における連結部４側と反対の下端部側に配置される。つまり、音声入力部１２は、携帯電話機１が開状態において一方の下端部側に配置される。
【００１９】
表示部側筐体３は、外面がフロントケース３ａとリアケース３ｂとにより構成される。表示部側筐体３におけるフロントケース３ａ側には、各種情報を表示するための表示部３０と、通話の相手側の音声を出力する音声出力部３１と、が露出するように配置される。ここで、表示部３０は、液晶パネルと、この液晶パネルを駆動する駆動回路と、この液晶パネルの背面側から光を照射するバックライト等の光源部とから構成される。
【００２０】
次に、操作部側筐体２の内部構造について、図２を参照しながら説明する。図２は、図１に示す携帯電話機１の操作部側筐体２の分解斜視図である。なお、図２は、操作部側筐体２の内部に配置される部材を概念的に示す図であり、部材同士の位置関係は図２に示す位置関係に限定されるものではない。
【００２１】
図２に示すように、操作部側筐体２は、フロントケース２ａと、キー構造部４０と、キー基板５０と、台座６０と、基準電位パターン層７５及び携帯電話機用のＲＦ（Ｒａｄｉｏ  Ｆｒｅｑｕｅｎｃｙ）モジュール等の各種電子部品を備える回路基板７０と、アンテナ部９０と、バッテリリッド２ｃを備えたリアケース２ｂと、バッテリ８０とを備える。また、操作部側筐体２は、フロントケース２ａに形成されたキー開口部１３ａ、１４ａ、１５ａを有する。
【００２２】
フロントケース２ａとリアケース２ｂとは、互いの凹状の内側面が向き合うように配置され、互いの外周縁が重なり合うようにして結合される。また、フロントケース２ａとリアケース２ｂとの間には、キー構造部４０と、キー基板５０と、ケース体６０と、回路基板７０と、アンテナ部９０とが挟まれるようにして内蔵される。
【００２３】
フロントケース２ａには、携帯電話機１を折り畳んだ状態で表示部側筐体３の表示部３０と対向する内側面に、キー開口部１３ａ、キー開口部１４ａ（開口部）、キー開口部１５ａが形成される。
【００２４】
キー構造部４０は、操作部材４０Ａと、キーフレーム４０Ｂと、キーシート４０Ｃ（ラバーシート）と、により構成される。
【００２５】
操作部材４０Ａは、複数のキー操作部材により構成される。具体的には、本実施形態において、操作部材４０Ａは、４個の機能設定操作キー部材１３ｂと、１５個の入力操作キー部材１４ｂ（キートップ）と、１個の決定操作キー部材１５ｂとにより構成される。ここで、入力操作キー部材１４ｂは、全部又は一部が透光性部材で形成される。これにより、入力操作キー部材１４ｂは、後述するＬＥＤ１５０から照射される所定の光を外部に透過させることができる。
【００２６】
機能設定操作キー部材１３ｂは、押圧面１０３がキー開口部１３ａを介して外部に露出するよう操作部側筐体２の内部に配設される。また、機能設定操作キー部材１３ｂは、押圧面１０３がキー開口部１３ａを介して外部に露出する通常位置（第１位置）と、通常位置よりも操作部側筐体２における内部側である押圧位置（第２位置）との間を移動可能に構成される。
【００２７】
複数の入力操作キー部材１４ｂ（キートップ）は、押圧面１０４（筐体外部側の面）が開口部１４ａを介して外部に露出するよう操作部側筐体２の内部に配設される。また、入力操作キー部材１４ｂは、押圧面１０４（筐体外部側の面）が開口部１４ａを介して外部に露出する通常位置（第１位置）と、通常位置よりも操作部側筐体２における内部側である押圧位置（第２位置）とに移動可能に構成される。
【００２８】
決定操作キー部材１５ｂは、押圧面１０５がキー開口部１５ａを介して外部に露出するよう操作部側筐体２の内部に配設される。また、決定操作キー部材１５ｂは、押圧面１０５がキー開口部１５ａを介して外部に露出する通常位置（第１位置）と、通常位置よりも操作部側筐体２における内部側である押圧位置（第２位置）とに移動可能に構成される。
【００２９】
キーフレーム４０Ｂは、孔部１４ｃが複数形成された金属製の板状部材である。キーフレーム４０Ｂは、入力操作キー部材１４ｂの押圧による回路基板７０等への悪影響を防ぐための補強部材である。また、キーフレーム４０Ｂは導電性の部材であり、入力操作キー部材１４ｂにおける静電気を逃がすための部材としても機能する。キーフレーム４０Ｂに形成される複数の孔部１４ｃには、後述するキーシート４０Ｃに形成される凸部１４ｄが嵌合するように配置される。そして、この凸部１４ｄに入力操作キー部材１４ｂが接着される。
【００３０】
キーシート４０Ｃ（ラバーシート）は、複数の入力操作キー部材１４ｂにおける押圧面１０４と反対の面側、すなわち複数の入力操作キー部材１４ｂよりも操作部側筐体２における内部側に配置される。
【００３１】
キーシート４０Ｃ（ラバーシート）は、可撓性を有するシリコンゴム製のシート状部材である。キーシート４０Ｃには、上述の通り、複数の凸部１４ｄが形成される。複数の凸部１４ｄは、キーシート４０Ｃにおけるキーフレーム４０Ｂが配置される側の面に形成される。
【００３２】
複数の凸部１４ｄそれぞれは、後述するキースイッチ５２に対応する位置に形成されると共に、キーフレーム４０Ｂに形成される複数の孔部１４ｃに挿通して配置される。複数の凸部１４ｄそれぞれの表面には、所定の接着剤により入力操作キー部材１４ｂが接着される。キーシート４０Ｃは、少なくとも複数の入力操作キー部材１４ｂそれぞれに対応する領域が光透過性部材で形成される。
【００３３】
アクチュエータ４５は、外力が加わると変形する流体性を有するゲル等の部材を、可撓性および強度を有する樹脂膜の中に封入したものである（図４も参照）。アクチュエータ４５は、操作部材４０Ａと後述するキー基板５０との間に配置される。アクチュエータ４５は、キーシート４０Ｃとキー基板５０との間に配置される。アクチュエータ４５は、光透過性を有する材質で構成されている。
【００３４】
キー基板５０（基板）は、キーフレーム４０Ｂにおける複数の入力操作キー部材１４ｂと反対側に配置される。キー基板５０は、キーシート４０Ｃ側に実装される複数のキースイッチ５１、５２、５３を有する。
【００３５】
キースイッチ５１、５２、５３は、キー基板５０におけるキーシート４０Ｃ側の実装面５０ａに実装（配置）される。複数のキースイッチ５１、５２、５３それぞれは、操作部材４０Ａの機能設定操作キー部材１３ｂ、入力操作キー部材１４ｂ、決定操作キー部材１５ｂが上述の通常位置から押圧位置へ向かう方向において機能設定操作キー部材１３ｂ、入力操作キー部材１４ｂ、決定操作キー部材１５ｂのそれぞれに対向しない位置に配置される。
【００３６】
キー基板５０に配置されるキースイッチ５１、５２、５３は、椀状に湾曲して立体的に形成された金属板のメタルドーム５４を有する構造になっている。メタルドーム５４は、その椀状形状の頂点が押圧されると、キー基板５０の表面に印刷された電気回路（図示せず）に形成されるスイッチ端子５６に接触して電気的に導通するように構成される。なお、キー基板５０は、複数の絶縁層（絶縁フィルム）の間に配線を挟み込んだものである。
【００３７】
また、キー基板５０には、所定の光を発光するＬＥＤ１５０（発光素子）が実装（配置）される。ＬＥＤ１５０は、前述のアクチュエータ４５に対向して配置される。ＬＥＤ１５０は、アクチュエータ４５に向けて光を照射する。
【００３８】
また、キー基板５０は、キーシート４０Ｃ側に樹脂ドーム５５が設けられる。樹脂ドーム５５は、メタルドーム５４と同様に椀状に湾曲して立体的に形成されている。ただし、樹脂により形成されている点およびキー基板５０において対応する位置にスイッチ端子が配置されていない点でメタルドーム５４と異なる。樹脂ドーム５５は、操作部材４０Ａの入力操作キー部材１４ｂが上述の第１位置から第２位置に移動するのに伴い、アクチュエータ４５を介してその椀状形状の頂点が押圧されることでクリック感を提供することができる。
【００３９】
台座６０は、非導電性の部材、例えばポリカーボネート樹脂（ＰＣＢ）により形成され、直方体の形状を有する。台座６０は、キー基板５０の載置面となると共にキー基板５０を支持する平板状の平板部６１を備える。台座６０は、操作部側筐体２の一部であってもよい。
【００４０】
回路基板７０には、アンテナ部９０が送受信する信号を処理する信号処理部を含む不図示の各種電子部品や回路が配置される。各種電子部品は、所定の組み合わせにより複数の回路ブロックを形成する。例えば、ＲＦ（Ｒａｄｉｏ  Ｆｒｅｑｕｅｎｃｙ）回路、電源回路等を含む各種回路ブロックが形成される。
【００４１】
回路基板７０における台座６０側の第１面７０ａには、上述の各種電子部品のほか、基準電位部を構成する基準電位パターン層７５が形成される。基準電位パターン層７５は、上述の各回路ブロックを区画するように形成される。基準電位パターン層７５は、回路基板７０の第１面７０ａの表面に導電性の部材を所定パターンで印刷することで形成される。
【００４２】
アンテナ部９０は、基台上に所定形状のアンテナエレメントが配置されることにより構成される。アンテナ部９０は、携帯電話機１における連結部４側と反対の端部側に配置される。このアンテナ部９０のアンテナエレメントは、帯状の板金により形成される。また、アンテナ部９０は、不図示の給電端子を介して回路基板７０から給電される。これにより、アンテナエレメントは、給電端子を介して回路基板７０から給電されると共に、回路基板７０のＲＦモジュール等と接続される。
【００４３】
リアケース２ｂの一端側（図２において）には、取り外し可能なバッテリリッド２ｃが設けられており、バッテリ８０をリアケース２ｂの外側から収納した後、リアケース２ｂに装着される。また、リアケース２ｂにおける一端側には、ユーザの音声を入力する不図示の音声入力部１２（特にマイク）が収容される。
【００４４】
次いで、図３により、操作部筐体２における詳細な内部構造について説明する。図３は、図１におけるIII−III断面図である。なお、図３において図示を省略している部材もある。
【００４５】
図３に示すように、アクチュエータ４５は、入力操作キー部材１４ｂに対向する領域からキースイッチ５２に対向する領域にわたって設けられる。また、上述の通り、キースイッチ５２は、入力操作キー部材１４ｂが通常位置から押圧位置へ向かう方向（図３における矢印Ａの方向）において入力操作キー部材１４ｂと対向しない位置に配置される。また、アンテナ部９０は、入力操作キー部材１４ｂに対向すると共にキースイッチ５２に対向しない位置に配置される。
【００４６】
ここで、入力操作キー部材１４ｂに対して押圧操作がなされると、入力操作キー部材１４ｂは上述の通常位置から押圧位置へと移動する。これに伴い、アクチュエータ４５のゲル状部材が押圧されて変形する。ゲル状部材は流動性を有しているので、入力操作キー部材１４ｂが通常位置にある際に入力操作キー部材１４ｂに対向する位置にあったゲル状部材は、入力操作キー部材１４ｂに対する押圧に伴いキースイッチ５２へ向かう方向（図３における矢印Ｂの方向）に動く。
【００４７】
そして、図３（ｂ）に示すように、アクチュエータ４５のうちキースイッチ５２に対向する部分が膨らむ。このとき、キーフレーム４０Ｂおよびキーシート４０Ｃにより、アクチュエータ４５は筐体の外部側への移動が制限され、キーフレーム４０Ｂおよびキーシート４０Ｃからの反発力によってキースイッチ５２のメタルドーム５４に押圧力が働く。これによりメタルドーム５４における椀状形状の頂点が押圧され、上述のようにキー基板５０の表面に印刷された電気回路に形成されるスイッチ端子に接触して電気的に導通する。すなわち、入力操作キー部材１４ｂに対して押圧操作がなされたと判定する。
【００４８】
その後、入力操作キー部材１４ｂの押圧状態が解消すると、アクチュエータ４５は、メタルドーム５４が元の形に戻ろうとする力を受け、図３（ａ）の状態に戻る。
【００４９】
また、入力操作キー部材１４ｂが押圧されるのに伴い樹脂ドーム５５に対しても押圧力が働く。これにより樹脂ドーム５５における椀状形状の頂点が押圧され、上述のメタルドーム５４と同様に変形する。この樹脂ドーム５５によって、使用者は入力操作キー部材１４ｂに対して押圧操作を行う際にクリック感を得ることができる。
【００５０】
以上の構成を有する携帯電子機器によれば、筐体内部においてキートップとキースイッチ部が実装された基板との相対的な位置関係に制約が生じることを低減できる。これにより、携帯電話機を設計する上での自由度が向上し、携帯電子機器の小型化・薄型化に有用である。
【００５１】
また、アンテナ部はキートップに対向しかつキースイッチ部と対向しない位置に配置されるため、キースイッチ部におけるメタルドームや信号線がアンテナの特性に与える影響が低減される。
【００５２】
以上、好適な実施形態について説明したが、本発明は上述した実施形態に限定されることなく種々の形態で実施することができる。例えば、本実施形態においては、携帯電子機器として携帯電話機について説明しているが、本発明はこれに限定されず、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、等のその他の携帯電子機器であってもよい。
【００５３】
また、本実施形態においては、連結部により折り畳み可能な携帯電話機の説明をしているが、このような折り畳み式に限定されるものではなく、操作部側筐体と表示部側筐体との重ね合わせた状態から一方の筐体を一方向にスライドさせるようにしたスライド式や、操作部側筐体と表示部側筐体との重ね合せ方向に沿う軸線を中心に一方の筐体を回転させるようにした回転（ターン）式や、操作部側筐体と表示部側筐体とが一つの筐体に配置され連結部を有さない型式（ストレートタイプ）でもよい。また、携帯電話機は、開閉及び回転可能ないわゆる２軸ヒンジタイプであってもよい。
【００５４】
また、本実施形態においては、入力操作キー部材に対する押圧操作が行われた場合にキースイッチを押下するアクチュエータを設けているが、本発明はこれに限定されず、入力操作キー部材に対して押圧操作が行われた場合に、入力操作キー部材が通常位置から押圧位置へ向かう方向において入力操作キー部材と対向しない位置に実装されるキースイッチに対して所定の動作を行うことができる構造であればよく、例えば図５のように、入力操作キー部材１４ｂの下に樹脂性の腕部４６を設け、入力操作キー部材に対する押圧操作がなされた場合にメタルドーム５４と樹脂ドーム５５とが共に押圧される構造であってもよい。
【００５５】
また、本実施形態においては、操作検出部として導電性のメタルドームおよびスイッチ端子からなるキースイッチを用いて説明を行っているが、本発明はこれに限定されず、操作部に対する操作を検出可能なものであれば、他の構造のスイッチであってもよい。また、操作部に対する操作を検出可能なものであれば、非導電性の部材であってもよい。
【００５６】
また、本実施形態においては、キー基板と入力操作キー部材を含む操作部材とは互いに平行に配置されているが、本発明はこれに限定されず、上述のアクチュエータ等によりキースイッチが押圧される構造であれば、例えば筐体の厚さ方向に垂直な面にキースイッチが配置されてもよい。
【００５７】
また、本実施形態においては、キースイッチは入力操作キー部材側の面に実装されているが、本発明はこれに限定されず、上述のアクチュエータ等によりキースイッチが押圧される構造であれば、例えばキー基板において入力操作キー部材側の面と反対側の面に実装されていてもよい。
【００５８】
また、本実施形態においては、アクチュエータは入力操作キー部材とキースイッチとの間に配置される別部材であるが、本発明はこれに限定されず、入力操作キー部材とキースイッチとの間に配置されていれば、例えば入力操作キー部材とアクチュエータとが一体に形成されていてもよい。
【００５９】
また、本実施形態においては、アクチュエータはゲル状部材から構成されているが、本発明はこれに限定されず、流動性を有する部材であれば、例えば空気を封入したものであってもよい。また、封入するものに限られない。
【００６０】
また、本実施形態においては、クリック機構として樹脂ドームを用いて説明を行っているが、本発明はこれに限定されず、クリック感を提供できる機構であれば、例えば入力操作キー部材が押圧操作された際に、キーシートにおける入力操作キー部材の周縁部分のみが基板側へ移動することでクリック感を提供するような構造であってもよい。
【符号の説明】
【００６１】
１            携帯電話機（携帯電子機器）
２            操作部側筐体（筐体）
３            表示部側筐体
１１          操作キー群
１４ｂ        入力操作キー部材（操作部）
４５          アクチュエータ（中間部材）
４６          腕部（中間部材）
５０          キー基板（基板）
５２          キースイッチ（操作検出部）
５５          樹脂ドーム（クリック機構）
７０          回路基板
９０          アンテナ部
【図１】
2011166644.tif 000003
【図２】
2011166644.tif 000004
【図３】
2011166644.tif 000005
【図４】
2011166644.tif 000006
【図５】
2011166644.tif 000007